(57)【要約】  本願の実施例は、フィードバック情報の伝送方法、装置及び通信デバイスを提供し、第１のノードが第２のノードにより送信された１セットの目標情報を受信することを含み、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される。
2022501848.tif 000002
【特許請求の範囲】
【請求項１】
第１のノードが第２のノードにより送信された１セットの目標情報を受信することを含み、
前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される
ことを特徴とするフィードバック情報の伝送方法。
【請求項２】
前記第１のノードが第２のノードにより送信された１セットの目標情報を受信する前に、前記方法は、さらに
前記第１のノードが前記第２のノードに１セットのデータチャネルを送信し、前記１セットのデータチャネルがＮビットのフィードバック情報に対応し、Ｎが正の整数であること、又は、
前記第１のノードが１セットの伝送リソースのうちの少なくとも１つの伝送リソースを利用して前記第２のノードにデータを送信し、前記１セットの伝送リソースがＮビットのフィードバック情報に対応し、Ｎが正の整数であることを含む
ことを特徴とする請求項１に記載のフィードバック情報の伝送方法。
【請求項３】
前記Ｍの値が前記Ｎの値以上である場合、前記第１の情報フィールドが前記Ｎビットのフィードバック情報の全ての情報を含み、又は、
前記Ｍの値が前記Ｎの値よりも小さい場合、前記第１の情報フィールドが前記Ｎビットのフィードバック情報の一部の情報を含む
ことを特徴とする請求項２に記載のフィードバック情報の伝送方法。
【請求項４】
前記Ｍの値が前記Ｎの値以上である場合、前記１セットの目標情報が１つの目標情報を含み、又は、
前記Ｍの値が前記Ｎの値よりも小さい場合、前記１セットの目標情報がＰ個の目標情報を含み、Ｐが１よりも大きい正の整数であり、又は、
前記Ｍの値が前記Ｎの値よりも小さい場合、前記１セットの目標情報がＱ個の目標情報を含み、Ｑが１以上、Ｐ以下であり、Ｐが前記１セットの目標情報に含まれる目標情報の数の最大値であり、Ｐが１よりも大きい正の整数である
ことを特徴とする請求項２又は３に記載のフィードバック情報の伝送方法。
【請求項５】
前記Ｐの値は、基地局により構成され、又は、
プロトコルにより約定され、又は、
Ｍ及びＮに基づいて決定される
ことを特徴とする請求項４に記載のフィードバック情報の伝送方法。
【請求項６】
前記Ｍの値が前記Ｎの値よりも小さく、前記１セットの目標情報がＱ個の目標情報を含む場合、
前記第２のノードが前記Ｑ個の目標情報に含まれるフィードバック情報に対応するデータチャネルのうちの少なくとも１つのデータチャネルを受信し、又は、
前記第２のノードが前記Ｑ個の目標情報に含まれるフィードバック情報に対応する伝送リソースにおいて少なくとも１回のデータ伝送を受信する
ことを特徴とする請求項４に記載のフィードバック情報の伝送方法。
【請求項７】
前記Ｍの値が前記Ｎの値よりも小さい場合、前記１セットの目標情報における各目標情報に含まれるフィードバック情報に対応するデータチャネル又は伝送リソースが全て異なり、又は、
前記Ｍの値が前記Ｎの値よりも小さい場合、前記１セットの目標情報のうちの少なくとも２つの目標情報に含まれるフィードバック情報に対応するデータチャネル又は伝送リソースの一部が同じである
ことを特徴とする請求項２〜６のいずれか１項に記載のフィードバック情報の伝送方法。
【請求項８】
前記Ｎの値が、前記１セットのデータチャネル又は前記１セットの伝送リソースに含まれる伝送ブロックＴＢ数又はコードブロックグループＣＢＧ数に等しく、又は、
前記Ｎの値が、前記１セットのデータチャネル又は前記１セットの伝送リソースに搬送可能なＴＢ数の最大値又はＣＢＧ数の最大値に等しく、又は、
前記Ｎの値が予め設定される
ことを特徴とする請求項２〜７のいずれか１項に記載のフィードバック情報の伝送方法。
【請求項９】
前記１セットのデータチャネルが少なくとも１つのデータチャネルを含み、前記１つのデータチャネルが少なくとも１つのＴＢ又は少なくとも１つのＣＢＧを搬送する
ことを特徴とする請求項１〜８のいずれか１項に記載のフィードバック情報の伝送方法。
【請求項１０】
前記１セットの伝送リソースが少なくとも１つの伝送リソースを含み、前記１つの伝送リソースが少なくとも１つの物理チャネルを搬送し、前記少なくとも１つの物理チャネルが少なくとも１ビットのフィードバック情報に対応する
ことを特徴とする請求項１〜８のいずれか１項に記載のフィードバック情報の伝送方法。
【請求項１１】
前記第２の情報フィールドが前記第１の情報フィールドと前記１セットのデータチャネル又は前記１セットの伝送リソースとの対応関係を決定するために使用されることは、
前記第２の情報フィールドが前記第２の情報フィールドが位置する目標情報の前記１セットの目標情報内のインデックス値を示し、前記１セットの目標情報と前記１セットのデータチャネル又は前記１セットの伝送リソースとが対応関係を有することを含む
ことを特徴とする請求項１〜１０のいずれか１項に記載のフィードバック情報の伝送方法。
【請求項１２】
前記第２の情報フィールドが前記第１の情報フィールドと前記１セットのデータチャネル又は前記１セットの伝送リソースとの対応関係を決定するために使用されることは、
前記第２の情報フィールドの値と１セットのデータチャネル又は１セットの伝送リソースのパラメータとが対応関係を有することを含む
ことを特徴とする請求項１〜１０のいずれか１項に記載のフィードバック情報の伝送方法。
【請求項１３】
前記１セットのデータチャネル又は１セットの伝送リソースのパラメータは、
ハイブリッド自動再送要求ＨＡＲＱプロセス番号、
データチャネルのインデックス番号又は伝送リソースのインデックス番号、
データチャネル又は伝送リソースにおけるＴＢのインデックス番号、
データチャネル又は伝送リソースにおけるＣＢＧのインデックス番号のうちの少なくとも１つを含む
ことを特徴とする請求項１２に記載のフィードバック情報の伝送方法。
【請求項１４】
前記第１の情報フィールドにおける前記Ｍビットのフィードバック情報と前記伝送リソースのインデックス番号とが対応関係を有し、前記伝送リソースのインデックス番号が時間領域インデックス番号及び／又は周波数領域インデックス番号を含む
ことを特徴とする請求項１３に記載のフィードバック情報の伝送方法。
【請求項１５】
前記第２の情報フィールドの値と１セットのデータチャネルのパラメータとが対応関係を有することは、
前記第２の情報フィールドが前記パラメータに対応する開始番号を含むこと、又は、
前記第２の情報フィールドが前記パラメータに対応する開始番号及び終了番号を含むことを含む
ことを特徴とする請求項１３に記載のフィードバック情報の伝送方法。
【請求項１６】
前記第２の情報フィールドの値と１セットのデータチャネルのパラメータとが対応関係を有することは、
前記第２の情報フィールドの値と前記パラメータとが対応関係を有し、前記第２の情報フィールドの値と前記パラメータとの対応関係がプロトコルにより約定され又は基地局により構成されることを含む
ことを特徴とする請求項１３に記載のフィードバック情報の伝送方法。
【請求項１７】
前記第２の情報フィールドの値と１セットのデータチャネルのパラメータとが対応関係を有することは、
前記第２の情報フィールドが前記パラメータに対応する少なくとも１つの番号を含み、前記少なくとも１つの番号の各番号と前記第１の情報フィールドの部分と対応関係を有することを含む
ことを特徴とする請求項１３に記載のフィードバック情報の伝送方法。
【請求項１８】
前記第２の情報フィールドに含まれるビット数は、固定値である
ことを特徴とする請求項１〜１７のいずれか１項に記載のフィードバック情報の伝送方法。
【請求項１９】
前記第２の情報フィールドに含まれるビット数は、基地局により構成される
ことを特徴とする請求項１〜１８のいずれか１項に記載のフィードバック情報の伝送方法。
【請求項２０】
前記第２の情報フィールドに含まれるビット数は、
最大ＨＡＲＱプロセス数、
端末により構成された最大ＨＡＲＱプロセス数、
端末により構成された１つのデータチャネルに含まれるＴＢの最大数、
端末により構成された１つのデータチャネルに含まれるＣＢＧの最大数、
アグリゲートキャリア数、
端末がサポートする同時に活性化される帯域幅部分ＢＷＰ数、
最大チャネル占用時間ＭＣＯＴ長さ、
前記１セットのデータチャネルを搬送するチャネル占用時間ＣＯＴ長さのうちの少なくとも１つに基づいて決定される
ことを特徴とする請求項１〜１９のいずれか１項に記載のフィードバック情報の伝送方法。
【請求項２１】
前記１セットの目標情報が第３の情報フィールドをさらに含み、前記第３の情報フィールドがパディングビットを含む
ことを特徴とする請求項１〜２０のいずれか１項に記載のフィードバック情報の伝送方法。
【請求項２２】
１つの伝送リソースが１つのタイムスロットであり、又は、
１つの伝送リソースが１つのキャリア内の１つのタイムスロットであり、又は、
１つの伝送リソースが１つのＢＷＰ内の１つのタイムスロットである
ことを特徴とする請求項１〜２１のいずれか１項に記載のフィードバック情報の伝送方法。
【請求項２３】
前記第１のノードが端末、前記第２のノードが基地局であり、又は、
前記第１のノードが基地局、前記第２のノードが端末である
ことを特徴とする請求項１〜２２のいずれか１項に記載のフィードバック情報の伝送方法。
【請求項２４】
前記第１のノードが端末、前記第２のノードが基地局である場合、前記１セットの目標情報が下り制御チャネルにより伝送される
ことを特徴とする請求項２３に記載のフィードバック情報の伝送方法。
【請求項２５】
前記下り制御チャネルが目標制御リソースセットに位置し、前記第１のノードが目標制御リソースセットにおいて前記少なくとも１セットの目標情報を受信する
ことを特徴とする請求項２４に記載のフィードバック情報の伝送方法。
【請求項２６】
第１のノードにお応用され、受信ユニットを含むフィードバック情報の伝送装置であって、
前記受信ユニットは、第２のノードにより送信された１セットの目標情報を受信するように構成され、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される
ことを特徴とするフィードバック情報の伝送装置。
【請求項２７】
前記装置が送信ユニットをさらに含み、
前記送信ユニットは、前記第２のノードに１セットのデータチャネルを送信し、前記１セットのデータチャネルがＮビットのフィードバック情報に対応し、Ｎが正の整数であり、又は、１セットの伝送リソースにおける少なくとも１つの伝送リソースを利用して前記第２のノードにデータを送信し、前記１セットの伝送リソースがＮビットのフィードバック情報に対応し、Ｎが正の整数であるように構成される
ことを特徴とする請求項２６に記載のフィードバック情報の伝送装置。
【請求項２８】
前記Ｍの値が前記Ｎの値以上である場合、前記第１の情報フィールドが前記Ｎビットのフィードバック情報の全ての情報を含み、又は、
前記Ｍの値が前記Ｎの値よりも小さい場合、前記第１の情報フィールドが前記Ｎビットのフィードバック情報の一部の情報を含む
ことを特徴とする請求項２７に記載のフィードバック情報の伝送装置。
【請求項２９】
前記Ｍの値が前記Ｎの値以上である場合、前記１セットの目標情報が１つの目標情報を含み、又は、
前記Ｍの値が前記Ｎの値よりも小さい場合、前記１セットの目標情報がＰ個の目標情報を含み、Ｐが１よりも大きい正の整数である
ことを特徴とする請求項２７又は２８に記載のフィードバック情報の伝送装置。
【請求項３０】
前記Ｐの値は、基地局により構成され、又は、
プロトコルにより約定され、又は、
Ｍ及びＮに基づいて決定される
ことを特徴とする請求項２９に記載のフィードバック情報の伝送装置。
【請求項３１】
前記Ｍの値が前記Ｎの値よりも小さく、前記１セットの目標情報がＱ個の目標情報を含む場合、
前記第２のノードが前記Ｑ個の目標情報に含まれるフィードバック情報に対応するデータチャネルのうちの少なくとも１つのデータチャネルを受信し、又は、
前記第２のノードが前記Ｑ個の目標情報に含まれるフィードバック情報に対応する伝送リソースにおいて少なくとも１回のデータ伝送を受信する
ことを特徴とする請求項２９に記載のフィードバック情報の伝送装置。
【請求項３２】
前記Ｍの値が前記Ｎの値よりも小さい場合、前記１セットの目標情報における各目標情報に含まれるフィードバック情報に対応するデータチャネル又は伝送リソースが全て異なり、又は、
前記Ｍの値が前記Ｎの値よりも小さい場合、前記１セットの目標情報のうちの少なくとも２つの目標情報に含まれるフィードバック情報に対応するデータチャネル又は伝送リソースの一部が同じである
ことを特徴とする請求項２７〜３１のいずれか１項に記載のフィードバック情報の伝送装置。
【請求項３３】
前記Ｎの値が、前記１セットのデータチャネル又は前記１セットの伝送リソースに含まれるＴＢ数又はＣＢＧ数に等しく、又は、
前記Ｎの値が、前記１セットのデータチャネル又は前記１セットの伝送リソースに搬送可能なＴＢ数の最大値又はＣＢＧ数の最大値に等しく、又は、
前記Ｎの値が予め設定される
ことを特徴とする請求項２７〜３２のいずれか１項に記載のフィードバック情報の伝送装置。
【請求項３４】
前記１セットのデータチャネルが少なくとも１つのデータチャネルを含み、前記１つのデータチャネルが少なくとも１つのＴＢ又は少なくとも１つのＣＢＧを搬送する
ことを特徴とする請求項２６〜３３のいずれか１項に記載のフィードバック情報の伝送装置。
【請求項３５】
前記１セットの伝送リソースが少なくとも１つの伝送リソースを含み、前記１つの伝送リソースが少なくとも１つの物理チャネルを搬送し、前記少なくとも１つの物理チャネルが少なくとも１ビットのフィードバック情報に対応する
ことを特徴とする請求項２６〜３３のいずれか１項に記載のフィードバック情報の伝送装置。
【請求項３６】
前記第２の情報フィールドが前記第１の情報フィールドと前記１セットのデータチャネル又は前記１セットの伝送リソースとの対応関係を決定するために使用されることは、
前記第２の情報フィールドが前記第２の情報フィールドが位置する目標情報の前記１セットの目標情報内のインデックス値を示し、前記１セットの目標情報と前記１セットのデータチャネル又は前記１セットの伝送リソースとが対応関係を有することを含む
ことを特徴とする請求項２６〜３５のいずれか１項に記載のフィードバック情報の伝送装置。
【請求項３７】
前記第２の情報フィールドが前記第１の情報フィールドと前記１セットのデータチャネル又は前記１セットの伝送リソースとの対応関係を決定するために使用されることは、
前記第２の情報フィールドの値と１セットのデータチャネル又は１セットの伝送リソースのパラメータとが対応関係を有することを含む
ことを特徴とする請求項２６〜３５のいずれか１項に記載のフィードバック情報の伝送装置。
【請求項３８】
前記１セットのデータチャネル又は１セットの伝送リソースのパラメータは、
ハイブリッド自動再送要求ＨＡＲＱプロセス番号、
データチャネルのインデックス番号又は伝送リソースのインデックス番号、
データチャネル又は伝送リソースにおけるＴＢのインデックス番号、
データチャネル又は伝送リソースにおけるＣＢＧのインデックス番号のうちの少なくとも１つを含む
ことを特徴とする請求項３７に記載のフィードバック情報の伝送装置。
【請求項３９】
前記第１の情報フィールドにおける前記Ｍビットのフィードバック情報と前記伝送リソースのインデックス番号とが対応関係を有し、前記伝送リソースのインデックス番号が時間領域インデックス番号及び／又は周波数領域インデックス番号を含む
ことを特徴とする請求項３８に記載のフィードバック情報の伝送装置。
【請求項４０】
前記第２の情報フィールドの値と１セットのデータチャネルのパラメータとが対応関係を有することは、
前記第２の情報フィールドが前記パラメータに対応する開始番号を含むこと、又は、
前記第２の情報フィールドが前記パラメータに対応する開始番号及び終了番号を含むことを含む
ことを特徴とする請求項３８に記載のフィードバック情報の伝送装置。
【請求項４１】
前記第２の情報フィールドの値と１セットのデータチャネルのパラメータとが対応関係を有することは、
前記第２の情報フィールドの値と前記パラメータとが対応関係を有し、前記第２の情報フィールドの値と前記パラメータとの対応関係がプロトコルにより約定され又は基地局により構成されることを含む
ことを特徴とする請求項３８に記載のフィードバック情報の伝送装置。
【請求項４２】
前記第２の情報フィールドの値と１セットのデータチャネルのパラメータとが対応関係を有することは、
前記第２の情報フィールドが前記パラメータに対応する少なくとも１つの番号を含み、前記少なくとも１つの番号の各番号と前記第１の情報フィールドの部分と対応関係を有することを含む
ことを特徴とする請求項３８に記載のフィードバック情報の伝送装置。
【請求項４３】
前記第２の情報フィールドに含まれるビット数は、固定値である
ことを特徴とする請求項２６〜４２のいずれか１項に記載のフィードバック情報の伝送装置。
【請求項４４】
前記第２の情報フィールドに含まれるビット数は、基地局により構成される
ことを特徴とする請求項２６〜４３のいずれか１項に記載のフィードバック情報の伝送装置。
【請求項４５】
前記第２の情報フィールドに含まれるビット数は、
最大ＨＡＲＱプロセス数、
端末により構成された最大ＨＡＲＱプロセス数、
端末により構成された１つのデータチャネルに含まれるＴＢの最大数、
端末により構成された１つのデータチャネルに含まれるＣＢＧの最大数、
アグリゲートキャリア数、
端末がサポートする同時に活性化されるＢＷＰ数、
ＭＣＯＴ長さ、
前記１セットのデータチャネルを搬送するＣＯＴ長さのうちの少なくとも１つに基づいて決定される
ことを特徴とする請求項２６〜４４のいずれか１項に記載のフィードバック情報の伝送装置。
【請求項４６】
前記１セットの目標情報が第３の情報フィールドをさらに含み、前記第３の情報フィールドがパディングビットを含む
ことを特徴とする請求項２６〜４５のいずれか１項に記載のフィードバック情報の伝送装置。
【請求項４７】
１つの伝送リソースが１つのタイムスロットであり、又は、
１つの伝送リソースが１つのキャリア内の１つのタイムスロットであり、又は、
１つの伝送リソースが１つのＢＷＰ内の１つのタイムスロットである
ことを特徴とする請求項２６〜４６のいずれか１項に記載のフィードバック情報の伝送装置。
【請求項４８】
前記第１のノードが端末、前記第２のノードが基地局であり、又は、
前記第１のノードが基地局、前記第２のノードが端末である
ことを特徴とする請求項２６〜４７のいずれか１項に記載のフィードバック情報の伝送装置。
【請求項４９】
前記第１のノードが端末、前記第２のノードが基地局である場合、前記１セットの目標情報が下り制御チャネルにより伝送される
ことを特徴とする請求項４８に記載のフィードバック情報の伝送装置。
【請求項５０】
前記下り制御チャネルが目標制御リソースセットに位置し、前記受信ユニットが目標制御リソースセットにおいて前記少なくとも１セットの目標情報を受信する
ことを特徴とする請求項４９に記載のフィードバック情報の伝送装置。
【請求項５１】
コンピュータプログラムを記憶するためのメモリと、前記メモリに記憶されたコンピュータプログラムを呼び出して実行し、請求項１〜２５のいずれか１項に記載の方法を実行するためのプロセッサとを備える
ことを特徴とする通信デバイス。
【請求項５２】
コンピュータプログラムをメモリから呼び出して実行し、チップが搭載されるデバイスに請求項１〜２５のいずれか１項に記載の方法を実行させるプロセッサを備える
ことを特徴とするチップ。
【請求項５３】
コンピュータに請求項１〜２５のいずれか１項に記載の方法を実行させるコンピュータプログラムを記憶する
ことを特徴とするコンピュータ読み取り可能な記憶媒体。
【請求項５４】
コンピュータに請求項１〜２５のいずれか１項に記載の方法を実行させるコンピュータプログラム命令を含む
ことを特徴とするコンピュータプログラム製品。
【請求項５５】
コンピュータに、請求項１〜２５のいずれか１項に記載の方法を実行させる
ことを特徴とするコンピュータプログラム。
【発明の詳細な説明】
【技術分野】
【０００１】
本願の実施例は、移動通信分野に関し、具体的に、フィードバック情報の伝送方法、装置及び通信デバイスに関する。
【背景技術】
【０００２】
ＮＲ−Ｕ(Ｎｅｗ Ｒａｄｉｏ Ｕｎｌｉｃｅｎｓｅｄ)による免許不要(ｇｒａｎｔ ｆｒｅｅ)伝送において、ｇｒａｎｔ ｆｒｅｅの１回の伝送に複数のコードブロックグループ(ＣＢＧ、Ｃｏｄｅ Ｂｌｏｃｋ Ｇｒｏｕｐ)を含むことがあるため、ＣＢに基づく再送およびＣＢＧに基づくＨＡＲＱ−ＡＣＫ (Ｈｙｂｒｉｄ Ａｕｔｏｍａｔｉｃ Ｒｅｐｅａｔ ｒｅｑｕｅｓｔ−Ａｃｋｎｏｗｌｅｄｇｅｍｅｎｔ)フィードバックをサポートする必要がある。ＦｅＬＡＡの下りＨＡＲＱ−ＡＣＫフィードバックでは、ＣＢＧに基づくフィードバックがサポートされないので、ＨＡＲＱ−ＡＣＫフィードバック量は許容でき、フルコードブックのＨＡＲＱ−ＡＣＫフィードバックが用いられるが、ＮＲ−Ｕでは、ＨＡＲＱ−ＡＣＫのフィードバック量が大きすぎて、新しいＨＡＲＱ−ＡＣＫコードブック設計を考慮する必要がある。
【発明の概要】
【０００３】
本願の実施例は、フィードバック情報の伝送方法、装置及び通信デバイスを提供する。
【０００４】
本願の実施例に係るフィードバック情報の伝送方法は、
第１のノードが第２のノードにより送信された１セットの目標情報を受信することを含み、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される。
【０００５】
本願の実施例に係るフィードバック情報の伝送装置は、受信ユニットを含み、
受信ユニットは、第２のノードにより送信された１セットの目標情報を受信するように構成され、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される。
【０００６】
本願の実施例は、プロセッサとメモリとを有する通信デバイスを提供する。メモリは、コンピュータプログラムを記憶するように構成され、プロセッサは、メモリに記憶されたコンピュータプログラムを呼び出して実行し、上述のフィードバック情報の伝送方法を実行するように構成される。
【０００７】
本願の実施例は、上述のフィードバック情報の伝送方法を実現するためのチップを提供する。
【０００８】
具体的には、メモリからコンピュータプログラムを呼び出して実行させて、チップが搭載されたデバイスに上述のフィードバック情報の伝送方法を実行させるプロセッサを備える。
【０００９】
本願の実施例は、コンピュータに、上述のフィードバック情報の伝送方法を実行させるコンピュータプログラムを記憶するコンピュータ読み取り可能な記憶媒体を提供する。
【００１０】
本願の実施例は、コンピュータに、上述のフィードバック情報の伝送方法を実行させるコンピュータプログラム命令を含むコンピュータプログラム製品を提供する。
【００１１】
本願の実施例は、コンピュータ上で実行されると、コンピュータに、上述のフィードバック情報の伝送方法を実行させるコンピュータプログラムを提供する。
【００１２】
上記の技術案により、１セットのデータチャネル又は１セットの伝送リソースに対応するフィードバック情報(すなわち、ＡＣＫ／ＮＡＣＫ情報)がＮＲ−Ｕキャリア上で伝送されることにより、ブラインド検出を増加させることなく、大容量のＡＣＫ／ＮＡＣＫ情報ビット伝送をサポートすることができる。
【図面の簡単な説明】
【００１３】
ここで説明する図面は、本願の更なる理解を提供するためのものであり、本願の一部を構成するものであり、本願の例示的な実施例及びその説明は、本願を解釈するためのものであり、本願を不当に限定するものではない
【図１】本願の実施例における通信システムのアーキテクチャの模式図である。
【図２】本願の実施例におけるフィードバック情報の伝送方法のフローチャート一である。
【図３】本願の実施例における目標情報の模式図である。
【図４】本願の実施例におけるフィードバック情報の伝送方法のフローチャート二である。
【図５】本願の実施例におけるフィードバック情報の伝送装置の構成図である。
【図６】本願の実施例における通信デバイス６００の構成図である。
【図７】本願の実施例におけるチップの構成図である。
【図８】本願の実施例における通信システム９００のブロック図である。
【発明を実施するための形態】
【００１４】
以下、本願の実施例における技術案を、本願の実施例における図面を参照して説明するが、明らかに、記述された実施例は本願の一部の実施例であり、全ての実施例ではない。本願における実施例に基づいて、発明的な労働をすることなく当業者によって得られる他のすべての実施例は、本願の保護範囲に属する。
【００１５】
本願の実施例に係る技術方案は、様々な通信システム、例えば、ＧＳＭ （Ｇｌｏｂａｌ Ｓｙｓｔｅｍ ｏｆ Ｍｏｂｉｌｅ ｃｏｍｍｕｎｉｃａｔｉｏｎ)システム、ＣＤＭＡ （ Ｃｏｄｅ Ｄｉｖｉｓｉｏｎ Ｍｕｌｔｉｐｌｅ Ａｃｃｅｓｓ)システム、ＷＣＤＭＡ （Ｗｉｄｅｂａｎｄ Ｃｏｄｅ Ｄｉｖｉｓｉｏｎ Ｍｕｌｔｉｐｌｅ Ａｃｃｅｓｓ)システム、ＧＰＲＳ （ Ｇｅｎｅｒａｌ Ｐａｃｋｅｔ Ｒａｄｉｏ Ｓｅｒｖｉｃｅ)、ＬＴＥ （ Ｌｏｎｇ ｔｅｒｍ Ｅｖｏｌｕｔｉｏｎ)システム、ＬＴＥ  ＦＤＤ （ Ｆｒｅｑｕｅｎｃｙ Ｄｉｖｉｓｉｏｎ Ｄｕｐｌｅｘ)システム、ＬＴＥ  ＴＤＤ （ Ｔｉｍｅ Ｄｉｖｉｓｉｏｎ Ｄｕｐｌｅｘ)システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ)、ＷｉＭＡＸ （ Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ)通信システム又は５Ｇシステムに適用されることができる。
【００１６】
例示的に、本願の実施例が適用される通信システム１００を図１に示す。通信システム１００は、端末デバイス１２０(または通信端末、端末と呼ばれる)と通信するデバイスであり得るネットワークデバイス１１０を含み得る。ネットワークデバイス１１０は、特定の地理的エリアに通信カバレージを提供し得、カバレージエリア内に位置付けられた端末デバイスと通信し得る。任意選択で、このネットワークデバイス１１０は、ＧＳＭシステムまたはＣＤＭＡシステムにおける基地局(Ｂａｓｅ Ｔｒａｎｓｃｅｉｖｅｒ Ｓｔａｔｉｏｎ、ＢＴＳ)であってもよいし、ＷＣＤＭＡシステムにおける基地局(ＮｏｄｅＢ、ＮＢ)であってもよいし、ＬＴＥシステムにおける進化型基地局(Ｅｖｏｌｕｔｉｏｎａｌ Ｎｏｄｅ Ｂ、ｅＮＢ又はｅＮｏｄｅＢ)であってもよいし、クラウド無線アクセスネットワーク(Ｃｌｏｕｄ Ｒａｄｉｏ Ａｃｃｅｓｓ Ｎｅｔｗｏｒｋ、ＣＲＡＮ)における無線コントローラであってもよいし、移動交換局、中継局、アクセスポイント、車載機器、ウェアラブル機器、集線装置、交換機、ブリッジ、ルータ、５Ｇネットワークにおけるネットワーク側機器または将来進化してくるＰｕｂｌｉｃ Ｌａｎｄ Ｍｏｂｉｌｅ Ｎｅｔｗｏｒｋ、ＰＬＭＮにおけるネットワークデバイス等であってもよい。
【００１７】
この通信システム１００は、ネットワークデバイス１１０のカバレージ内に位置する少なくとも１つの端末デバイス１２０をさらに含む。ここで、「端末デバイス」とは、公衆回線交換網ＰＳＴＮ（Ｐｕｂｌｉｃ Ｓｗｉｔｃｈｅｄ Ｔｅｌｅｐｈｏｎｅ Ｎｅｔｗｏｒｋｓ）、ＤＳＬ（Ｄｉｇｉｔal Ｓｕｂｓｃｒｉｂｅｒ Ｌｉｎｅ）、デジタル回線、直接ケーブルなどの有線回線接続、および／または別のデータ接続／ネットワーク、および／または、例えばセルラネットワーク、無線ローカルエリアネットワークＷＬＡＮ（Ｗｉｒｅｌｅｓｓ Ｌｏｃａｌ Ａｒｅａ Ｎｅｔｗｏｒｋ）、例えばＤＶＢ−Ｈネットワークのようなディジタルテレビネットワーク、衛星ネットワーク、ＡＭ−ＦＭ放送送信機のための無線インターフェースを介し、及び／又は別の端末デバイスの通信信号を受信／送信するように構成された手段、および／またはＩｏＴ（Ｉｎｔｅｒｎｅｔ ｏｆ Ｔｈｉｎｇｓ）デバイスを含む。無線インターフェースを介して通信するように構成された端末デバイスは、「無線通信端末」、「無線端末」、または「モバイル端末」と呼ばれ得る。移動端末の例としては、衛星又は携帯電話、データ処理、ファックス、およびデータ通信能力と組み合わせたセルラー無線電話を有するパーソナル通信システム(ＰＣＳ)端末、無線電話、ページャ、インターネット／イントラネット接続、Ｗｅｂブラウザ、メモ帳、カレンダ、及び／又はＧＰＳ受信機を含むことができるＰＤＡ、および従来のラップトップおよび／またはパームトップ受信機または無線電話送受信機を含む他の電子デバイスが挙げられる。端末デバイスは、アクセス端末、ＵＥ、加入者ユニット、加入者局、移動局、遠隔端末、モバイルデバイス、加入者端末、ワイヤレス通信デバイス、ユーザエージェント、またはユーザ機器を指し得る。アクセス端末は、セルラー電話、コードレス電話、ＳＩＰ （ Ｓｅｓｓｉｏｎ Ｉｎｉｔｉａｔｉｏｎ Ｐｒｏｔｏｃｏｌ)電話、ＷＬＬ （ Ｗｉｒｅｌｅｓｓ Ｌｏｃａｌ Ｌｏｏｐ)局、ＰＤＡ （ Ｐｅｒｓｏｎａｌ Ｄｉｇｉｔａｌ Ａｓｓｉｓｔａｎｔ)、無線通信機能を有するハンドヘルド装置、ワイヤレスモデムに接続されたコンピューティング装置または他の処理装置、車載装置、ウェアラブル装置、５Ｇネットワーク内の端末デバイス、または将来進化してくるＰＬＭＮ内の端末デバイスなどであり得る。
【００１８】
任意選択で、端末デバイス１２０間でＤｅｖｉｃｅ ｔｏ Ｄｅｖｉｃｅ （ Ｄ２Ｄ)通信が行われ得る。
【００１９】
任意選択で、５Ｇシステム又は５Ｇネットワークは、Ｎｅｗ Ｒａｄｉｏ (ＮＲ)システム又はＮＲネットワークとも称され得る。
【００２０】
図１は、１つのネットワークデバイスと２つの端末デバイスとを例示的に示し、任意選択的に、通信システム１００は、複数のネットワークデバイスを含んでもよく、各ネットワークデバイスのカバレッジ内に他の数の端末デバイスを含んでもよく、本願の実施例は、これに限定されない。
【００２１】
任意選択で、通信システム１００は、ネットワークコントローラ、移動管理エンティティ等の他のネットワークエンティティをさらに含んでもよく、本願の実施例は、これに限定されない。
【００２２】
本願の実施例におけるネットワーク／システムにおける通信機能を有する装置は、通信デバイスと称されることもあることを理解されたい。図１に示す通信システム１００を例にとると、通信デバイスは、通信機能を有するネットワークデバイス１１０と端末デバイス１２０を含み、ネットワークデバイス１１０と端末デバイス１２０は、上述した具体的なデバイスであってもよく、ここでその説明が省略され、通信デバイスは、通信システム１００における他のデバイス、例えばネットワークコントローラ、移動管理エンティティ等の他のネットワークエンティティをさらに含んでもよく、本願の実施例ではこれに限定されない。
【００２３】
本明細書において、用語「システム」及び「ネットワーク」は、しばしば、交換可能に使用されることが理解される。ここで言う「及び／又は」とは、単に関連対象を説明する関連関係のことであり、Ａ及び／又はＢのように３つの関係があり、Ａ単独の場合、ＡとＢの両方の場合、Ｂ単独の場合の３つの場合があることを意味する。また、本文中の「／」は、前後関係オブジェクトが「または」の関係であることを一般的に示す。
【００２４】
本願の実施例に係る技術案の理解を容易にするため、本願実施例に係る関連技術を以下に説明する。
【００２５】
免許不要スペクトルは、国および地域によって分けられた無線デバイスの通信に使用可能なスペクトルであり、このスペクトルは、共有スペクトルと見なされ、すなわち、異なる通信システム内の通信デバイスが、このスペクトル上で国または地域によって設定された法規制要件を満たす場合に、このスペクトルを使用し得、政府に独自のスペクトル免許を申請しなくてもよい。免許不要スペクトルを使用して無線通信を行う様々な通信システムが、そのスペクトル上で快適に共存することができるようにするために、いくつかの国または地域は、免許不要スペクトルを使用して満たさなければならない法規制要件を指定する。例えば、いくつかの地域において、通信デバイスは、ＬＢＴ（Ｌｉｓｔｅｎ  Ｂｏｆｏｅｒ  Ｔａｌｋ）原理に従い、即ち、通信デバイスは、免許不要スペクトルのチャネル上で信号送信を行う前に、チャネルをリッスンする必要があり、チャネルリスニング結果がアイドルである場合にのみ、通信デバイスは信号送信を行うことができ、通信デバイスは、免許不要スペクトルのチャネル上でのチャネルリスニング結果がチャネルビジーである場合、信号送信できない。
【００２６】
無線通信技術の発展に伴い、ＬＴＥ (Ｌｏｎｇ ｔｅｒｍ Ｅｖｏｌｕｔｉｏｎ)システムとＮＲ （Ｎｅｗ Ｒａｄｉｏ)システムの両方が、免許不要スペクトルを利用してデータサービスの伝送を行うために免許不要でのネットワークを考慮する。
【００２７】
ＬＴＥシステムに免許不要スペクトルが適用される場合、ＵＥの自律的な物理上り共有チャネル(ＡＵＬ−ＰＵＳＣＨ、ＡＵＬ−Ｐｈｙｓｉｃａｌ Ｕｐｌｉｎｋ Ｓｈａｒｅｄ Ｃｈａｎｎｅｌ)伝送がサポートされる。ＡＵＬ−ＰＵＳＣＨ伝送において、ネットワークデバイスは、端末デバイスのために周期的な上りリソースを半静的に事前構成し、半静的に構成された上りリソースを動的シグナリングを用いて活性化及び非活性化する。端末デバイスは、準静的に構成された上りリソースが活性化されている間に、上りデータ伝送の要求があると、その上りリソース上で自発的にＡＵＬ−ＰＵＳＣＨ伝送を行うことができる。ネットワークデバイスは、ＡＵＬ−ＰＵＳＣＨ伝送を受信した後、ＡＵＬ−ＰＵＳＣＨに対するＨＡＲＱ−ＡＣＫフィードバックを行う。ここで、ＡＵＬ−ＰＵＳＣＨの上り伝送は最大１６または３２個のハイブリッド自動再送要求(ＨＡＲＱ、Ｈｙｂｒｉｄ Ａｕｔｏｍａｔｉｃ Ｒｅｐｅａｔ ｒｅＱｕｅｓｔ)プロセスをサポートするため(シングルコードワードの場合、１６個のプロセスをサポートし、ダブルコードワードの場合、３２個のプロセスをサポートする)、その対応する下りＨＡＲＱ−ＡＣＫフィードバックはフルコードブックフィードバックである。
【００２８】
ＮＲシステムに免許不要スペクトルが適用されるとき(ＮＲ−Ｕと略称される)、同様のＵＥ自発的ＰＵＳＣＨ伝送(ＮＲ−ＵにおけるＣＧ−ＰＵＳＣＨ （Ｃｏｎｆｉｇｕｒｅ Ｇｒａｎｔ−ＰＵＳＣＨ)伝送と呼ばれる)もサポートされる。ＮＲ−ＵにおけるＣＧ−ＰＵＳＣＨ伝送に対して、ネットワークデバイスは、同様に、ＵＥに対する下りＨＡＲＱ−ＡＣＫフィードバックを必要とする。しかしながら、ＮＲ−Ｕシステムは、より大きいキャリア伝送帯域幅およびより大きいサブキャリア間隔をサポートするので、１回の上り伝送機会において必要とされ得るフィードバック量は、ＬＴＥシステムにおけるフィードバック量よりもはるかに大きく(例えば、ＮＲ−ＵにおいてＣＢＧのフィードバックがサポートする)、フルコードブックを使用するＨＡＲＱ−ＡＣＫフィードバック設計シグナリングオーバーヘッドは大きすぎ、したがって、新しいコードブック設計方法が必要である。
【００２９】
図２は本願の実施例におけるフィードバック情報の伝送方法のフローチャート一であり、図２に示すように、前記フィードバック情報の伝送方法は、以下のステップを含み、
ステップ２０１において、第１のノードが第２のノードにより送信された１セットの目標情報を受信し、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される。
【００３０】
本願の実施例において、第１のノードと第２のノードとは以下のように実現され、
１）前記第１のノードが端末、前記第２のノードが基地局であり、又は、
２）前記第１のノードが基地局、前記第２のノードが端末である。
【００３１】
ここで、端末は、携帯電話、タブレット、車載端末、ノート等、ネットワークと通信可能な任意の機器であってよい。基地局の種類は、限定されないが、例えば、５ＧにおけるｇＮＢである。
【００３２】
本願の実施例に係る技術的解決策は、ＮＲ−Ｕシステムに適用されることができるが、これに限定されない。ＮＲ−Ｕシステムでは、ＵＥが自発的にＰＵＳＣＨ送信(ＮＲ−ＵではＣＧ−ＰＵＳＣＨと呼ばれる)をサポートする必要がある。ＮＲ−ＵにおけるＣＧ−ＰＵＳＣＨ伝送のために、ネットワークデバイスは、ＵＥに対する下りＨＡＲＱ−ＡＣＫフィードバックを必要とする。同様に、基地局がＵＥに下り伝送リソースを送信した後、ＵＥは基地局に上りのＨＡＲＱ−ＡＣＫフィードバックを行う必要がある。
【００３３】
本願の実施例において、前記第１のノードが第２のノードにより送信された１セットの目標情報を受信する前に、前記第１のノードが前記第２のノードに１セットのデータチャネルを送信し、前記１セットのデータチャネルがＮビットのフィードバック情報に対応し、Ｎが正の整数であり、又は、前記第１のノードが１セットの伝送リソースのうちの少なくとも１つの伝送リソースを利用して前記第２のノードにデータを送信し、前記１セットの伝送リソースがＮビットのフィードバック情報に対応し、Ｎが正の整数である。
【００３４】
なお、異なるセットのデータチャネルに対応するＮの値は異なっていてもよいし、同じであってもよい。異なるセットの伝送リソースに対応するＮの値は異なっていてもよいし、同じであってもよい。
【００３５】
なお、第１のノードが前記第２のノードに１セットの又は複数のセットのデータチャネル／伝送リソースを送信し、複数のセットのデータチャネル／伝送リソースにおける各１セットのデータチャネル／伝送リソースが、本願の実施例に係る技術案を利用して実現される。
【００３６】
例えば、端末が基地局に１セットの上りデータチャネルを送信し、前記１セットの上りデータチャネルがＮビットのフィードバック情報に対応する。
【００３７】
また、例えば、基地局が１セットの下り伝送リソースの一部の又は全ての伝送リソースで端末にデータを送信し、前記１セットの下り伝送リソースがＮビットのフィードバック情報に対応する。
【００３８】
上記の技術案において、前記１セットのデータチャネルが少なくとも１つのデータチャネルを含み、ここで、前記１つのデータチャネルが少なくとも１つのＴＢ又は少なくとも１つのＣＢＧを搬送する。ここで、データチャネルのタイプは、物理上り共有チャネル（ＰＵＳＣＨ、Ｐｈｙｓｉｃａｌ Ｕｐｌｉｎｋ Ｓｈａｒｅｄ Ｃｈａｎｎｅｌ）又は物理下り共有チャネル（ＰＤＳＣＨ、Ｐｈｙｓｉｃａｌ Ｄｏｗｎｌｉｎｋ Ｓｈａｒｅｄ Ｃｈａｎｎｅｌ）であってもよい。
【００３９】
上記の技術案において、前記１セットの伝送リソースが少なくとも１つの伝送リソースを含み、ここで、前記１つの伝送リソースが少なくとも１つの物理チャネルを搬送し、前記少なくとも１つの物理チャネルが少なくとも１ビットのフィードバック情報に対応する。ここで、物理チャネルのタイプは、ＰＵＳＣＨ、又は物理下り制御チャネル（ＰＤＣＣＨ、Ｐｈｙｓｉｃａｌ Ｄｏｗｎｌｉｎｋ Ｃｏｎｔｒｏｌ Ｃｈａｎｎｅｌ）、又はＰＤＳＣＨであってもよい。
【００４０】
本願の実施例において、前記Ｍの値が前記Ｎの値以上である場合、前記第１の情報フィールドが前記Ｎビットのフィードバック情報の全ての情報を含み、前記Ｍの値が前記Ｎの値よりも小さい場合、前記第１の情報フィールドが前記Ｎビットのフィードバック情報の一部の情報を含む。
【００４１】
2022501848.tif 000003
【００４２】
例えば、端末が１セットのＰＵＳＣＨを基地局に送信し、１０個のＰＵＳＣＨを含み、１０個のＰＵＳＣＨは、８*１０=８０ビットのフィードバック情報に対応し、１つの目標情報の長さが３２ビットであり、ここで、最初の２ビットが第２の情報フィールドであり、最後の３０ビットが第１の情報フィールドであると仮定すると、基地局は、少なくとも３つの目標情報を含む１セットの目標情報を端末に送信する必要があり、３つの目標情報のうちの第２の情報フィールドは、８０ビットのフィードバック情報を搬送するために使用される。
【００４３】
本願の実施例において、前記Ｍの値が前記Ｎの値よりも小さい場合、前記１セットの目標情報における各目標情報に含まれるフィードバック情報に対応するデータチャネル又は伝送リソースが全て異なり、以下の応用例一を参照し、又は、前記Ｍの値が前記Ｎの値よりも小さい場合、前記１セットの目標情報のうちの少なくとも２つの目標情報に含まれるフィードバック情報に対応するデータチャネル又は伝送リソースの一部が同じである、以下の応用例二及び応用例三を参照する。
【００４４】
本願の実施例において、前記Ｍの値が前記Ｎの値よりも小さく、前記１セットの目標情報がＱ個の目標情報を含む場合、前記第２のノードが前記Ｑ個の目標情報に含まれるフィードバック情報に対応するデータチャネルのうちの少なくとも１つのデータチャネルを受信し、又は、前記第２のノードが前記Ｑ個の目標情報に含まれるフィードバック情報に対応する伝送リソースにおいて少なくとも１回のデータ伝送を受信する。
【００４５】
例えば、基地局は２０個のタイムスロットで下りデータを送信し、各タイムスロットが１ビットのフィードバック情報に対応し、１つの目標情報が１０ビットのフィードバック情報を搬送することができる。
【００４６】
１）端末がタイムスロット１、２、３で下りデータを受信した場合、端末が基地局に１セットの目標情報を送信し、１つの目標情報を含み、この１つの目標情報における第２の情報フィールドは、タイムスロット１〜１０に対応するフィードバック情報を搬送する。
【００４７】
２）端末がタイムスロット１、２、３、１５、１６で下りデータを受信した場合、端末が基地局に１セットの目標情報を送信し、２つの目標情報を含み、この２つの目標情報における第２の情報フィールドがこの２０個のタイムスロットに対応するフィードバック情報を搬送する。例えば、ここで、１番目の目標情報における第２の情報フィールドがタイムスロット１〜１０に対応するフィードバック情報を搬送し、２番目の目標情報における第２の情報フィールドがタイムスロット１１〜２０に対応するフィードバック情報を搬送する。
【００４８】
本願の実施例において、前記Ｎの値が、前記１セットのデータチャネル又は前記１セットの伝送リソースに含まれるＴＢ数又はＣＢＧ数に等しく、又は、前記Ｎの値が、前記１セットのデータチャネル又は前記１セットの伝送リソースに搬送可能なＴＢ数の最大値又はＣＢＧ数の最大値に等しく、又は、前記Ｎの値が予め設定される。
【００４９】
ＰＵＳＣＨを例とし、Ｎの値が１セットのＰＵＳＣＨに含まれるＴＢ数又はＣＢＧ数に等しい。１ビットのフィードバック情報が１つのＴＢ又はＣＢＧに対応する。ここで、Ｎの値が１セットのＰＵＳＣＨに含まれるＴＢ数又はＣＢＧ数に等しいことを例とするが、これに限定されなく、Ｎの値が１セットのＰＵＳＣＨに含まれるＴＢ数又はＣＢＧ数よりも大きくてもよい。
【００５０】
ＰＵＳＣＨを例とし、Ｎの値が１セットのＰＵＳＣＨに含まれるＰＵＳＣＨ数及び１つのＰＵＳＣＨに搬送される最大ＴＢ数又はＣＢＧ数に関連する。単一のＴＢ伝送（即ち１つのＰＵＳＣＨに１つのＴＢが搬送される）の場合、Ｎが前記ＰＵＳＣＨ数に等しい。多ＴＢ又は多ＣＢＧ伝送の場合、Ｎは、前記ＰＵＳＣＨ数が最大ＴＢ数又は最大ＣＢＧ数を乗算するものである。
【００５１】
本願の実施例において、フィードバック情報がＡＣＫ情報又はＮＡＣＫ情報であり、１ビットのフィードバック情報を例とし、値１がＡＣＫ情報を表し、値０がＮＡＣＫ情報を表し、又は、値１がＮＡＣＫ情報を表し、値０がＡＣＫ情報を表す。ここで、ＡＣＫ情報は、第２のノードが第１のノードからのデータを成功に受信することを示し、ＮＡＣＫ情報は、第２のノードが第１のノードからのデータを成功に受信しないことを示す。
【００５２】
さらに、第１のノードが第２のノードに１セットのデータチャネルを送信することを例とし、第１のノードが第２のノードにより送信された１セットの目標情報を受信し、この１セットの目標情報が第１の情報フィールドを含み、前記第１の情報フィールドがＭビットのフィードバック情報を含み、このＭビットのフィードバック情報と前記１セットのデータチャネルに搬送されるＭ個のＴＢ又はＣＧＢとが一対一対応し、１ビットのフィードバック情報が１つのＴＢ又はＣＧＢに対応し、該ＴＢ又はＣＧＢが第２のノードにより成功に受信するかどうかを示す。
【００５３】
さらに、第１のノードが第２のノードに１セットの伝送リソースを送信することを例とし、第１のノードが第２のノードにより送信された１セットの目標情報を受信し、この１セットの目標情報が第１の情報フィールドを含み、前記第１の情報フィールドがＭビットのフィードバック情報を含み、このＭビットのフィードバック情報と前記１セットの伝送リソースとが対応関係を有する。一実施形態において、前記第１の情報フィールドにおける前記Ｍビットのフィードバック情報が時間領域の順で前記１セットの伝送リソースにおける各時間領域伝送ユニットとが対応関係を有する。例えば、１セットの伝送リソースが１０個のｓｌｏｔを含み、Ｍ＝１０であり、第１の情報フィールドにおける１番目のビットが１セットの伝送リソースにおける１番目のｓｌｏｔのフィードバック情報に対応し、第１の情報フィールドにおける２番目のビットが１セットの伝送リソースにおける２番のｓｌｏｔのフィードバック情報に対応し、これに基づいて類推する。他の実施形態において、前記第１の情報フィールドにおける前記Ｍビットのフィードバック情報は、周波数領域の順及び時間領域の順で前記１セットの伝送リソースにおける各時間周波数伝送ユニットとが対応関係を有する。例えば、１セットの伝送リソースが９つの時間周波数伝送ユニットを含み、Ｍ＝９であり、この９つの時間周波数伝送ユニットが時間領域及び周波数領域の二次元で定義され、ここで、時間領域の次元でキャリア１、キャリア２、キャリア３が定義され、時間領域の次元でｓｌｏｔ１、ｓｌｏｔ２、ｓｌｏｔ３が定義され、この場合、第１の情報フィールドにおける１番目のビットが、１セットの伝送リソースにおけるキャリア１及びｓｌｏｔ１に対応するビデオ伝送ユニットのフィードバック情報に対応し、第１の情報フィールドにおける２番目のビットが、１セットの伝送リソースにおけるキャリア１及びｓｌｏｔ２に対応するビデオ伝送ユニットのフィードバック情報に対応し、第１の情報フィールドにおける３番目のビットが、１セットの伝送リソースにおけるキャリア１及びｓｌｏｔ３に対応するビデオ伝送ユニットのフィードバック情報に対応し、これに基づいて類推し、対応関係は、周波数領域の順で、次に、時間領域の順である。
【００５４】
本願の実施例において、前記第２の情報フィールドは、前記第１の情報フィールドと前記１セットのデータチャネルとの対応関係を決定するために使用され、以下のように実現される。
【００５５】
１）前記第２の情報フィールドが前記第２の情報フィールドが位置する目標情報の前記１セットの目標情報内のインデックス値を示し、前記１セットの目標情報と前記１セットのデータチャネル又は前記１セットの伝送リソースとが対応関係を有する。
【００５６】
例えば、１つのテーブルが予め設定され、該テーブルが１セットの目標情報と１セットのデータチャネル又は１セットの伝送リソースとの対応関係を含み、例えば、Ｐ個の目標情報とＰ個のデータチャネル又は伝送リソースとの対応関係を含み、第２の情報フィールドにおける目標情報のインデックス値に基づいて、該テーブルから対応する１つのデータチャネル又は１つの伝送リソースを決定することができる。
【００５７】
２）前記第２の情報フィールドの値と１セットのデータチャネル又は１セットの伝送リソースのパラメータとが対応関係を有する。さらに、前記１セットのデータチャネル又は１セットの伝送リソースのパラメータは、
ハイブリッド自動再送要求ＨＡＲＱプロセス番号、
データチャネルのインデックス番号又は伝送リソースのインデックス番号、
データチャネル又は伝送リソースにおけるＴＢのインデックス番号、
データチャネル又は伝送リソースにおけるＣＢＧのインデックス番号のうちの少なくとも１つを含む。
【００５８】
上記の技術案において、前記第１の情報フィールドにおける前記Ｍビットのフィードバック情報と前記伝送リソースのインデックス番号とが対応関係を有し、前記伝送リソースのインデックス番号が時間領域インデックス番号及び／又は周波数領域インデックス番号を含む。
【００５９】
例えば、前記第１の情報フィールドが４ビットのフィードバック情報を含み、左から右に、１セットの伝送リソースのインデックス番号ｓｌｏｔ１、ｓｌｏｔ２、ｓｌｏｔ３及びｓｌｏｔ４に対応する。
【００６０】
また、例えば、前記第１の情報フィールドが４ビットフィードバック情報を含み、左から右に、１セットの伝送リソースのインデックス番号[キャリア１、ｓｌｏｔ１]、[キャリア１、ｓｌｏｔ２]、[キャリア２、ｓｌｏｔ１]、[キャリア２、ｓｌｏｔ２]に対応する。
【００６１】
上記の技術案において、前記第２の情報フィールドの値と１セットのデータチャネルのパラメータが対応関係を有し、以下のように実現される。
【００６２】
１）前記第２の情報フィールドが前記パラメータに対応する開始番号を有し、又は、前記第２の情報フィールドが前記パラメータに対応する開始番号及び終了番号を含む。
【００６３】
２）前記第２の情報フィールドの値と前記パラメータとが対応関係を有し、前記第２の情報フィールドの値と前記パラメータとの対応関係がプロトコルにより約定され又は基地局により構成される。
【００６４】
３）前記第２の情報フィールドが前記パラメータに対応する少なくとも１つの番号を含み、前記少なくとも１つの番号の各番号と前記第１の情報フィールドの部分と対応関係を有する。
【００６５】
本願の実施例において、前記第２の情報フィールドに含まれるビット数は、固定値である。本願の実施例において、前記第２の情報フィールドに含まれるビット数は、基地局により構成される。
【００６６】
本願の実施例において、前記第２の情報フィールドに含まれるビット数は、
最大ＨＡＲＱプロセス数、
端末により構成された最大ＨＡＲＱプロセス数、
端末により構成された１つのデータチャネルに含まれるＴＢの最大数、
端末により構成された１つのデータチャネルに含まれるＣＢＧの最大数、
アグリゲートキャリア数、
端末がサポートする同時に活性化される帯域幅部分（ＢＷＰ、Ｂａｎｄ Ｗｉｄｔｈ Ｐａｒｔ）数、
最大チャネル占用時間（ＭＣＯＴ、Ｍａｘｉｍｕｍ Ｃｈａｎｎｅｌ Ｏｃｃｕｐａｔｉｏｎ Ｔｉｍｅ）長さ、
前記１セットのデータチャネルを搬送するチャネル占用時間（ＣＯＴ、Ｃｈａｎｎｅｌ Ｏｃｃｕｐａｔｉｏｎ Ｔｉｍｅ）長さのうちの少なくとも１つのパラメータに基づいて決定される。
【００６７】
さらに、前記１セットの目標情報が第３の情報フィールドをさらに含み、前記第３の情報フィールドがパディング（ｐａｄｄｉｎｇ）ビットを含む。
【００６８】
本願の実施例の上記の技術案において、１つの伝送リソースが１つのタイムスロットであり、又は、１つの伝送リソースが１つのキャリア内の１つのタイムスロットであり、又は、１つの伝送リソースが１つのＢＷＰ内の１つのタイムスロットである。
【００６９】
あるシナリオにおいて、前記第１のノードが端末、前記第２のノードが基地局である場合、前記１セットの目標情報が下り制御チャネルにより伝送される。さらに、前記下り制御チャネルが目標制御リソースセット（ＣＯＲＥＳＴ）に位置し、前記第１のノードが目標制御リソースセットにおいて前記少なくとも１セットの目標情報を受信する。
【００７０】
以下、具体的な応用例を参照して、本願の実施例の技術案を例示的に説明するが、以下の例示は、単に例示的な作用のためのものであり、本願の実施例の技術案を限定するものではない。
【００７１】
応用例一
端末はＣＢＧ方式を用いてＰＵＳＣＨを伝送し、１つのＰＵＳＣＨは最多で８つのＣＢＧを含む。端末がＰＵＳＣＨを１０個連続して基地局に送信した後、端末は８*１０=８０ビットのＡＣＫ／ＮＡＣＫ情報を基地局が送信することを期待する。ＰＤＣＣＨブラインド検出の増加を回避するために、ＤＣＩのサイズは制限され、例えば、ＤＣＩのサイズは３２ビットと合意される。１つのＤＣＩは１つの目標情報を表し、１つのＤＣＩの３２ビットを２つに分割し、第１の情報フィールドと第２の情報フィールドを含み、ここで、第２の情報フィールドの長さは２ビットであり、第１の情報フィールドの長さは３０ビットである。
【００７２】
図３を参照すると、端末は、３つの下り制御情報、ＤＣＩ１、ＤＣＩ２及びＤＣＩ３を受信していることを期待する。ここで、ＤＣＩ１における第２の情報フィールドに対応するインデックス値は００、その中で搬送される３０ビットのＡＣＫ／ＮＡＣＫ情報は前記８０ビットのうちの１〜３０番目のビット、ＤＣＩ２におけるインデックス値は０１、その中で搬送される３０ビットのＡＣＫ／ＮＡＣＫ情報は前記８０ビットのうちの３１〜６０番目のビット、ＤＣＩ３におけるインデックス値は１０、その中で搬送される３０ビットのＡＣＫ／ＮＡＣＫ情報は前記８０ビットのうちの６１〜８０番目のビットであり、またＤＣＩ３にはＤＣＩサイズが一定であることを保証するために２０ビットのｐａｄｄｉｎｇ情報も加えられる。
【００７３】
端末がＰＵＳＣＨを伝送することは、最多で３２個のＨＡＲＱプロセスをサポートする。表１を参照すると、第２の情報フィールドの値は、該ＤＣＩに搬送されるＨＡＲＱプロセス番号と以下の対応関係を有する
端末が送信する１セットのＰＵＳＣＨがプロセス番号１〜８に対応する場合、端末はＤＣＩを受信し、ここで、第２の情報フィールドの値が００のであり、第１の情報フィールドは８ビットのフィードバック情報と２ビットのｐａｄｄｉｎｇ情報を含み、これら８ビットのフィードバック情報はプロセス番号１〜８に対応する。
【００７４】
端末が送信する１セットのＰＵＳＣＨがプロセス番号１〜１６に対応する場合、端末は、少なくとも２つのＤＣＩを受信し、ＤＣＩ１の第２の情報フィールドの値は、００であり、ＤＣＩ１の第１の情報フィールドは、１０ビットのフィードバック情報を含み、この１０ビットのフィードバック情報は、プロセス番号１〜１０に対応する。ＤＣＩ２の第２の情報フィールドの値は０１であり、ＤＣＩ２の第１の情報フィールドは６ビットのフィードバック情報と４ビットのｐａｄｄｉｎｇ情報を含み、これら６ビットのフィードバック情報はプロセス番号１１〜１６に対応する。
【表１】
2022501848.tif 000004
【００７５】
応用例三
端末のＰＵＳＣＨ伝送が最多で３２個のＴＢ／ＣＢＧをサポートする。表２を参照し、第２の情報フィールドの値とＰＵＳＣＨ／ＴＢ／ＣＢＧ番号とが以下の対応関係を有する。
【００７６】
端末が送信する１セットのＰＵＳＣＨがＰＵＳＣＨ／ＴＢ／ＣＢＧ番号１〜８に対応する場合、端末がＤＣＩを受信し、ここで、第２の情報フィールドの値が００であり、第１の情報フィールドが８ビットのフィードバック情報及び２ビットのｐａｄｄｉｎｇ情報を含み、この８ビットフィードバック情報がＰＵＳＣＨ／ＴＢ／ＣＢＧ番号１〜８に対応する。
【００７７】
端末が送信する１セットのＰＵＳＣＨがＰＵＳＣＨ／ＴＢ／ＣＢＧ番号１〜１６に対応する場合、端末が少なくとも２つのＤＣＩを受信し、ここで、ＤＣＩ １の第２の情報フィールドの値が００であり、ＤＣＩ １の第１の情報フィールドが１０ビットのフィードバック情報を含み、この１０ビットのフィードバック情報がＰＵＳＣＨ／ＴＢ／ＣＢＧ番号１〜１０に対応する。ＤＣＩ ２の第２の情報フィールドの値で０１であり、ＤＣＩ ２の第１の情報フィールドが６ビットのフィードバック情報及び４ビットのｐａｄｄｉｎｇ情報を含み、この６ビットのフィードバック情報がＰＵＳＣＨ／ＴＢ／ＣＢＧ番号１１〜１６に対応する。
【表２】
2022501848.tif 000005
【００７８】
図４は本願の実施例におけるフィードバック情報の伝送方法のフローチャート二であり、図４に示すように、前記フィードバック情報の伝送方法は、以下のステップを含み、
ステップ４０１において、第２のノードが第１のノードに１セットの目標情報を送信し、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される。
【００７９】
本願の実施例において、第１のノードと第２のノードとが、以下の２つ方式で実現される。
【００８０】
１）前記第１のノードが端末、前記第２のノードが基地局であり、又は、
２）前記第１のノードが基地局、前記第２のノードが端末である。
【００８１】
ここで、端末は、携帯電話、タブレット、車載端末、ノート等、ネットワークと通信可能な任意の機器であってよい。基地局の種類は、限定されないが、例えば、５ＧにおけるｇＮＢである。
【００８２】
本願の実施例に係る技術的解決策は、ＮＲ−Ｕシステムに適用されることができるが、これに限定されない。ＮＲ−Ｕシステムでは、ＵＥが自発的にＰＵＳＣＨ送信(ＮＲ−ＵではＣＧ−ＰＵＳＣＨと呼ばれる)をサポートする必要がある。ＮＲ−ＵにおけるＣＧ−ＰＵＳＣＨ伝送のために、ネットワークデバイスは、ＵＥに対する下りＨＡＲＱ−ＡＣＫフィードバックを必要とする。同様に、基地局がＵＥに下り伝送リソースを送信した後、ＵＥは基地局に上りのＨＡＲＱ−ＡＣＫフィードバックを行う必要がある。
【００８３】
この実施例の技術案は図４に示すフィードバック情報の伝送方法を参照して理解でき、図４に示すフィードバック情報の伝送方法における内容はこの実施例の技術案を解釈するために使用でき、ここでその説明が省略される。
【００８４】
図５は本願の実施例におけるフィードバック情報の伝送装置の構成図であり、図に示すように、前記装置は、受信ユニット５０１、送信ユニット５０２を含み、
一実施形態において、前記受信ユニット５０１は、第２のノードにより送信された１セットの目標情報を受信するように構成され、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される。前記送信ユニット５０２は、前記第２のノードに１セットのデータチャネルを送信し、前記１セットのデータチャネルがＮビットのフィードバック情報に対応し、Ｎが正の整数であり、又は、１セットの伝送リソースにおける少なくとも１つの伝送リソースを利用して前記第２のノードにデータを送信し、前記１セットの伝送リソースがＮビットのフィードバック情報に対応し、Ｎが正の整数であるように構成される。
【００８５】
他の実施形態において、前記送信ユニット５０２は、第１のノードに１セットの目標情報を送信するように構成され、前記１セットの目標情報における各目標情報が第１の情報フィールド及び第２の情報フィールドを含み、前記第１の情報フィールドが１セットのデータチャネル又は１セットの伝送リソースに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される。前記受信ユニット５０１は、前記第１のノードにより送信された１セットのデータチャネルを受信し、前記１セットのデータチャネルがＮビットのフィードバック情報に対応し、Ｎが正の整数であり、又は、前記第１のノードが１セットの伝送リソースにおける少なくとも１つの伝送リソースを利用して送信したデータを受信し、前記１セットの伝送リソースがＮビットのフィードバック情報に対応し、Ｎが正の整数であるように構成される。
【００８６】
一実施形態において、前記Ｍの値が前記Ｎの値以上である場合、前記第１の情報フィールドが前記Ｎビットのフィードバック情報の全ての情報を含み、又は、前記Ｍの値が前記Ｎの値よりも小さい場合、前記第１の情報フィールドが前記Ｎビットのフィードバック情報の一部の情報を含む。
【００８７】
一実施形態において、前記Ｍの値が前記Ｎの値以上である場合、前記１セットの目標情報が１つの目標情報を含み、又は、前記Ｍの値が前記Ｎの値よりも小さい場合、前記１セットの目標情報がＰ個の目標情報を含み、Ｐが１よりも大きい正の整数である。さらに、前記Ｐの値は、基地局により構成され、又は、プロトコルにより約定され、又は、Ｍ及びＮに基づいて決定される。
【００８８】
一実施形態において、前記Ｍの値が前記Ｎの値よりも小さく、前記１セットの目標情報がＱ個の目標情報を含む場合、前記第２のノードが前記Ｑ個の目標情報に含まれるフィードバック情報に対応するデータチャネルのうちの少なくとも１つのデータチャネルを受信し、又は、前記第２のノードが前記Ｑ個の目標情報に含まれるフィードバック情報に対応する伝送リソースにおいて少なくとも１回のデータ伝送を受信する。
【００８９】
一実施形態において、前記Ｍの値が前記Ｎの値よりも小さい場合、前記１セットの目標情報における各目標情報に含まれるフィードバック情報に対応するデータチャネル又は伝送リソースが全て異なり、又は、前記Ｍの値が前記Ｎの値よりも小さい場合、前記１セットの目標情報のうちの少なくとも２つの目標情報に含まれるフィードバック情報に対応するデータチャネル又は伝送リソースの一部が同じである。
【００９０】
一実施形態において、前記Ｎの値が、前記１セットのデータチャネル又は前記１セットの伝送リソースに含まれるＴＢ数又はＣＢＧ数に等しく、又は、
前記Ｎの値が、前記１セットのデータチャネル又は前記１セットの伝送リソースに搬送可能なＴＢ数の最大値又はＣＢＧ数の最大値に等しく、又は、
前記Ｎの値が予め設定される。
【００９１】
一実施形態において、前記１セットのデータチャネルが少なくとも１つのデータチャネルを含み、ここで、前記１つのデータチャネルが少なくとも１つのＴＢ又は少なくとも１つのＣＢＧを搬送する。
【００９２】
一実施形態において、前記１セットの伝送リソースが少なくとも１つの伝送リソースを含み、ここで、前記１つの伝送リソースが少なくとも１つの物理チャネルを搬送し、前記少なくとも１つの物理チャネルが少なくとも１ビットのフィードバック情報に対応する。
【００９３】
一実施形態において、前記第２の情報フィールドが前記第１の情報フィールドと前記１セットのデータチャネル又は前記１セットの伝送リソースとの対応関係を決定するために使用されることは、
前記第２の情報フィールドが前記第２の情報フィールドが位置する目標情報の前記１セットの目標情報内のインデックス値を示し、前記１セットの目標情報と前記１セットのデータチャネル又は前記１セットの伝送リソースとが対応関係を有することを含む。
【００９４】
一実施形態において、前記第２の情報フィールドが前記第１の情報フィールドと前記１セットのデータチャネル又は前記１セットの伝送リソースとの対応関係を決定するために使用されることは、
前記第２の情報フィールドの値と１セットのデータチャネル又は１セットの伝送リソースのパラメータとが対応関係を有することを含む。
【００９５】
一実施形態において、前記１セットのデータチャネル又は１セットの伝送リソースのパラメータは、
ハイブリッド自動再送要求ＨＡＲＱプロセス番号、
データチャネルのインデックス番号又は伝送リソースのインデックス番号、
データチャネル又は伝送リソースにおけるＴＢのインデックス番号、
データチャネル又は伝送リソースにおけるＣＢＧのインデックス番号のうちの少なくとも１つを含む。
【００９６】
一実施形態において、前記第１の情報フィールドにおける前記Ｍビットのフィードバック情報と前記伝送リソースのインデックス番号とが対応関係を有し、前記伝送リソースのインデックス番号が時間領域インデックス番号及び／又は周波数領域インデックス番号を含む。
【００９７】
一実施形態において、前記第２の情報フィールドの値と１セットのデータチャネルのパラメータとが対応関係を有することは、
前記第２の情報フィールドが前記パラメータに対応する開始番号を含むこと、又は、
前記第２の情報フィールドが前記パラメータに対応する開始番号及び終了番号を含むことを含む。
【００９８】
一実施形態において、前記第２の情報フィールドの値と１セットのデータチャネルのパラメータとが対応関係を有することは、
前記第２の情報フィールドの値と前記パラメータとが対応関係を有し、前記第２の情報フィールドの値と前記パラメータとの対応関係がプロトコルにより約定され又は基地局により構成されることを含む。
【００９９】
一実施形態において、前記第２の情報フィールドの値と１セットのデータチャネルのパラメータとが対応関係を有することは、
前記第２の情報フィールドが前記パラメータに対応する少なくとも１つの番号を含み、前記少なくとも１つの番号の各番号と前記第１の情報フィールドの部分と対応関係を有することを含む。
【０１００】
一実施形態において、前記第２の情報フィールドに含まれるビット数は、固定値である。
【０１０１】
一実施形態において、前記第２の情報フィールドに含まれるビット数は、基地局により構成される。
【０１０２】
一実施形態において、前記第２の情報フィールドに含まれるビット数は、
最大ＨＡＲＱプロセス数、
端末により構成された最大ＨＡＲＱプロセス数、
端末により構成された１つのデータチャネルに含まれるＴＢの最大数、
端末により構成された１つのデータチャネルに含まれるＣＢＧの最大数、
アグリゲートキャリア数、
端末がサポートする同時に活性化されるＢＷＰ数、
ＭＣＯＴ長さ、
前記１セットのデータチャネルを搬送するＣＯＴ長さのうちの少なくとも１つに基づいて決定される。
【０１０３】
一実施形態において、前記１セットの目標情報が第３の情報フィールドをさらに含み、前記第３の情報フィールドがパディングビットを含む。
【０１０４】
一実施形態において、１つの伝送リソースが１つのタイムスロットであり、又は、１つの伝送リソースが１つのキャリア内の１つのタイムスロットであり、又は、１つの伝送リソースが１つのＢＷＰ内の１つのタイムスロットである。
【０１０５】
一実施形態において、前記第１のノードが端末、前記第２のノードが基地局であり、又は、
前記第１のノードが基地局、前記第２のノードが端末である。
【０１０６】
一実施形態において、前記第１のノードが端末、前記第２のノードが基地局である場合、前記１セットの目標情報が下り制御チャネルにより伝送される。
【０１０７】
一実施形態において、前記下り制御チャネルが目標制御リソースセットに位置し、前記受信ユニット５０１は、目標制御リソースセットにおいて前記少なくとも１セットの目標情報を受信するように構成される。
【０１０８】
当業者は、本願の実施例による上述のフィードバック情報の伝送デバイスに関する説明が、本願の実施例によるフィードバック情報の伝送方法に関する説明を参照して理解できることを理解するであろう。
【０１０９】
図６は、本願の実施例で提供される通信デバイス６００の概略構成図である。通信デバイスは、端末デバイスであっても、ネットワークデバイスであってもよく、図６に示す通信デバイス６００は、プロセッサ６１０を含み、プロセッサ６１０は、メモリからコンピュータプログラムを呼び出して実行することにより、本願の実施例における方法を実現することができる。
【０１１０】
任意選択で、図６に示されるように、通信デバイス６００は、メモリ６２０も含み得る。ここで、プロセッサ６１０は、メモリ６２０からコンピュータプログラムを呼び出して実行することにより、本願の実施形態における方法を実現することができる。
【０１１１】
ここで、メモリ６２０は、プロセッサ６１０とは独立した一つの別個の部品であってもよいし、プロセッサ６１０に集積されてもよい。
【０１１２】
任意選択で、図６に示すように、通信デバイス６００は、プロセッサ６１０が他のデバイスと通信するように制御することができる送受信機６３０をさらに備えることができ、特に、他のデバイスに情報又はデータを送信することができ、又は他のデバイスから送信された情報又はデータを受信することができる。
【０１１３】
ここで、送受信機６３０は、送信機および受信機を含み得る。送受信機６３０は、１つ以上のアンテナをさらに含むことができる。
【０１１４】
任意選択で、該通信デバイス６００は具体的に本願の実施例のネットワークデバイスであってもよく、且つ該通信デバイス６００は本願の実施例の各方法におけるネットワークデバイスにより実現される対応するフローを実現してもよく、簡潔にするために、ここでその説明が省略される。
【０１１５】
任意的に、該通信デバイス６００は、具体的には本願の実施例の移動端末/端末デバイスであってもよく、且つ該通信デバイス６００は、本願の実施例の各方法における移動端末/端末デバイスにより実現される相応のフローを実現することができ、簡潔にするために、ここでその説明を省略する。
【０１１６】
図７は、本願の実施例のチップの概略構成図である。図１４に示すチップ７００は、メモリからコンピュータプログラムを呼び出して実行することにより、本願の実施例における方法を実現するプロセッサ７１０を含む。
【０１１７】
任意選択で、図７に示すように、チップ７００は、メモリ７２０をさらに含んでもよい。プロセッサ７１０は、メモリ７２０からコンピュータプログラムを呼び出して実行することにより、本願の実施例における方法を実現することができる。
【０１１８】
ここで、メモリ７２０は、プロセッサ７１０とは独立した別個の部品であってもよいし、プロセッサ７１０に集積されていてもよい。
【０１１９】
任意選択で、チップ７００は、入力インターフェース７３０をさらに含むことができる。ここで、プロセッサ７１０は、該入力インターフェース７３０を制御して他のデバイス又はチップと通信し、具体的には、他のデバイス又はチップから送信された情報又はデータを取得することができる。
【０１２０】
任意選択で、チップ７００は、出力インターフェース７４０をさらに含むことができる。ここで、プロセッサ７１０は、出力インターフェース７４０を制御して他のデバイス又はチップと通信し、具体的には、他のデバイス又はチップに情報又はデータを出力することができる。
【０１２１】
任意選択で、該チップは、本願の実施例における端末デバイスに適用され、且つ該チップは、本願の実施例における各方法において端末デバイスにより実現される対応するフローを実現することができ、簡潔にするために、ここでその説明が省略される。
【０１２２】
任意選択で、該チップは、本願の実施例におけるネットワークデバイスに適用され、且つ該チップは、本願の実施例の各方法におけるネットワークデバイスにより実現される対応するフローを実現することができ、簡潔にするために、ここでその説明が省略される。
【０１２３】
なお、本願の実施例で言及されるチップは、システムレベルチップ、システムチップ、チップシステムまたはシステムオンチップなどと称されることもあることを理解されたい。
【０１２４】
図８は、本願の実施例で提供される通信システム９００の概略ブロック図である。図８に示すように、通信システム９００は、端末デバイス９１０と、ネットワークデバイス９２０とを有する。
【０１２５】
ここで、該端末デバイス９１０は、上記方法において端末デバイスにより実現される相応の機能を実現するために用いられてもよく、及び該ネットワークデバイス９２０は、上記方法においてネットワークデバイスにより実現される相応の機能を実現するために用いられてもよく、簡潔にするために、ここではその説明を省略する。
【０１２６】
本願の実施例のプロセッサは、信号の処理能力を有する集積回路チップであってもよい。実装において、方法の実施例における上述のステップは、プロセッサ内のハードウェアの集積論理回路またはソフトウェアの形態の命令によって達成され得る。上述したプロセッサは、汎用プロセッサ、ＤＳＰ（Ｄｉｇｉｔａｌ Ｓｉｇｎａｌ Ｐｒｏｃｅｓｓｏｒ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ Ｐｒｏｇｒａｍｍａｂｌｅ Ｇａｔｅ Ａｒｒａｙ）、または他のプログラマブル論理デバイス、ディスクリートゲートまたはトランジスタ論理デバイス、ディスクリートハードウェアコンポーネントであってもよい。本願の実施例に開示された方法、ステップ、及び論理ブロック図は、具現されたり実行されたりすることができる。汎用プロセッサは、マイクロプロセッサであってもよいし、任意の従来のプロセッサなどであってもよい。本願の実施例に関連して開示される方法のステップは、ハードウェアの復号プロセッサによって実行されるように直接具現化されてもよく、又は復号プロセッサ内のハードウェア及びソフトウェアモジュールの組み合わせによって実行されるように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で周知の記憶媒体内に配置され得る。記憶媒体はメモリに配置され、プロセッサは、メモリの情報を読み取り、そのハードウェアと共に、上記方法のステップを実行する。
【０１２７】
本願の実施例におけるメモリは、揮発性メモリ又は不揮発性メモリであるか、又は揮発性メモリ及び不揮発性メモリの両方を含むことができることを理解されたい。ここで、不揮発性メモリは、Ｒｅａｄ−Ｏｎｌｙ Ｍｅｍｏｒｙ、Ｐｒｏｇｒａｍｍａｂｌｅ ＲＯＭ、ＥＰＲＯＭ、Ｅｌｅｃｔｒｉｃａｌｌｙ ＥＰＲＯＭ、またはフラッシュメモリであってもよい。揮発性メモリは、外部キャッシュとして使用されるランダムアクセスメモリ(Ｒａｎｄｏｍ Ａｃｃｅｓｓ Ｍｅｍｏｒｙ、ＲＡＭ)であってもよい。限定ではなく例示として、静的ランダムアクセスメモリ(Ｓｔａｔｉｃ ＲＡＭ、ＳＲＡＭ)、動的ランダムアクセスメモリ(Ｄｙｎａｍｉｃ ＲＡＭ、ＤＲＡＭ)、シンクロナスダイナミックランダムアクセスメモリ(Ｓｙｎｃｈｒｏｎｏｕｓ ＤＲＡＭ、ＳＤＲＡＭ)、ダブルデータレートシンクロナスダイナミックランダムアクセスメモリ(Ｄｏｕｂｌｅ Ｄａｔａ Ｒａｔｅ ＳＤＲＡＭ、ＤＤＲ ＳＤＲＡＭ)、エンハンストシンクロナスダイナミックランダムアクセスメモリ(Ｅｎｈａｎｃｅｄ ＳＤＲＡＭ、ＥＳＤＲＡＭ)、シンクロナスリンクダイナミックランダムアクセスメモリ(Ｓｙｎｃｈｌｉｎｋ ＤＲＡＭ、ＳＬＤＲＡＭ)、およびダイレクトメモリバスランダムアクセスメモリ(Ｄｉｒｅｃｔ Ｒａｍｂｕｓ ＲＡＭ、ＤＲ ＲＡＭ)など、多くの形態のＲＡＭが利用可能である。本明細書で説明するシステムおよび方法のメモリは、これらおよび任意の他の適切なタイプのメモリを含むことが意図されるが、これらに限定されないことに留意されたい。
【０１２８】
なお、上述したメモリは例示的なものであって限定的なものではないが、例えば、本願の実施例におけるメモリは、ＳＲＡＭ （ ｓｔａｔｉｃ ＲＡＭ ）、ＤＲＡＭ （ ｄｙｎａｍｉｃ ＲＡＭ ）、ＳＤＲＡＭ （ ｓｙｎｃｈｒｏｎｏｕｓ ＤＲＡＭ)、ＤＤＲ （ ＤＤＲ ＳＤＲＡＭ)のダブルデータレート同期型ダイナミックランダムアクセスメモリ、ＥＳＤＲＡＭ （ ｅｎｈａｎｃｅｄ ＳＤＲＡＭ ）、ＳＬＤＲＡＭ （ ｓｙｎｃｈ ｌｉｎｋ ＤＲＡＭ)、ＤＲ ＲＡＭ （ Ｄｉｒｅｃｔ Ｒａｍｂｕｓ ＲＡＭ)等であってもよい。すなわち、本願の実施例におけるメモリは、これら及び任意の他の適切なタイプのメモリを含むことが意図されるが、これらに限定されない。
【０１２９】
本願の実施例は、コンピュータプログラムを記憶するコンピュータ可読記憶媒体をさらに提供する。
【０１３０】
任意選択で、該コンピュータ読み取り可能な記憶媒体は、本願の実施例におけるネットワークデバイスに適用され、且つ該コンピュータプログラムは、コンピュータに、本願の実施例の各方法におけるネットワークデバイスにより実現される相応のフローを実行させ、簡潔にするために、ここではその説明を省略する。
【０１３１】
任意選択で、該コンピュータ読み取り可能な記憶媒体は、本願の実施例における移動端末/端末デバイスに適用され、且つ該コンピュータプログラムは、コンピュータに、本願の実施例の各方法における移動端末/端末デバイスにより実現される相応のフローを実行させ、簡潔にするために、ここではその説明を省略する。
【０１３２】
本願の実施例は、コンピュータプログラム命令を含むコンピュータプログラム製品をさらに提供する。
【０１３３】
任意選択で、該コンピュータプログラム製品は、本願の実施例におけるネットワークデバイスに適用され、該コンピュータプログラム命令は、コンピュータに、本願の実施例の各方法におけるネットワークデバイスにより実現される対応するフローを実行させ、簡潔にするために、ここでその説明を省略する。
【０１３４】
任意選択で、該コンピュータプログラム製品は、本願の実施例における移動端末/端末デバイスに適用され、該コンピュータプログラム命令は、コンピュータに、本願の実施例における各方法における移動端末/端末デバイスにより実現される対応するフローを実行させ、簡潔にするために、ここでは説明を省略する。
【０１３５】
本願の実施例は、コンピュータプログラムをさらに提供する。
【０１３６】
任意選択で、該コンピュータプログラムは、本願の実施例におけるネットワークデバイスに適用されてもよく、該コンピュータプログラムがコンピュータ上で実行されると、コンピュータに本願の実施例の各方法におけるネットワークデバイスにより実現される対応するフローを実行させ、簡潔にするために、ここではその説明を省略する。
【０１３７】
任意選択で、該コンピュータプログラムは、本願の実施例における移動端末/端末デバイスに適用されてもよく、該コンピュータプログラムがコンピュータ上で実行されると、コンピュータに本願の実施例の各方法における移動端末/端末デバイスにより実現される対応するフローを実行させ、簡潔にするために、ここでは説明を省略する。
【０１３８】
当業者は、本明細書に開示された実施例に関連して説明された各例のユニット及びアルゴリズムステップが、電子ハードウェア、又はコンピュータソフトウェアと電子ハードウェアの組合せで実装され得ることを認識するであろう。これらの機能がハードウェアまたはソフトウェアのいずれの方法で実行されるかは、技術案の特定の適用例および設計制約に依存する。当業者は、説明された機能を実施するために、特定の適用例ごとに異なる方法を使用してもよいが、そのような実施は、本願の範囲から逸脱すると見なされるべきではない。
【０１３９】
当業者であれば、説明の便宜及び簡潔のために、上記説明したシステム、装置及びユニットの具体的な動作過程は、上記方法の実施例における対応する過程を参照してもよく、ここでその説明が省略されることを理解するであろう。
【０１４０】
本明細書で提供されるいくつかの実施例では、開示されるシステム、装置、および方法は、他の方法で実施され得ることを理解されたい。例えば、上述した装置の実施例は単なる例示であり、例えば、説明されたユニットの分割は、１つの論理機能の分割にすぎず、実際に実装される場合、追加の分割があってもよく、例えば、複数のユニット又は構成要素が別のシステムに結合されても、統合されてもよく、又は、一部の特徴が省略されても、実行されなくてもよい。別の点において、示された又は考察された相互の結合又は直接的な結合又は通信接続は、電気的、機械的又は他の形態の、何らかのインターフェース、装置又はユニットを介した間接的な結合又は通信接続であってもよい。
【０１４１】
前記分離手段として説明された手段は、物理的に分離されても、または分離されなくてもよく、手段として示された手段は、物理的な手段であっても、または分離されなくてもよく、すなわち、一箇所に位置してもよく、または複数のネットワーク要素に分散されてもよい。なお、この実施例の目的を達成するために、必要に応じて、その一部または全部を選択することができる。
【０１４２】
また、本願の各実施例における各機能ユニットは、１つの処理ユニットに集積されてもよいし、それぞれのユニットが物理的に別個に存在してもよいし、２つ以上のユニットが１つのユニットに集積されてもよい。
【０１４３】
また、これらの機能がソフトウェア機能として実現され、独立した製品として販売または利用される場合には、コンピュータ読み取り可能な記録媒体に格納されてもよい。このような理解に基づいて、本願の技術案は、本質的に、または、従来技術に貢献する部分、または、その技術案の部分を、記憶媒体に記憶されたソフトウェア製品の形態で具体化することができ、そのソフトウェア製品は、本願の各実施例で説明される方法のステップの全部または一部を、コンピュータ装置(パーソナルコンピュータ、サーバ、またはネットワークデバイスなどであってもよい)に実行させるための命令を含む。なお、前記記憶媒体としては、Ｕ−ディスク、ポータブルハードディスク、Ｒｅａｄ−Ｏｎｌｙ Ｍｅｍｏｒｙ、ＲＯＭ、Ｒａｎｄｏｍ Ａｃｃｅｓｓ Ｍｅｍｏｒｙ、ＲＡＭ、磁気ディスク、光ディスクなど種々のプログラムコードを記憶できるものを含む。
【０１４４】
以上のように、本願の実施例は、本願の技術的思想に基づいて説明されたが、本願は、上述の実施例に限定されるものではなく、本願の技術的思想に基づく当業者であれば、本願の技術的範囲に含まれる。したがって、本願の保護範囲は、特許請求の範囲の保護範囲によってのみ定められるべきである。
【図１】
2022501848.tif 000006
【図２】
2022501848.tif 000007
【図３】
2022501848.tif 000008
【図４】
2022501848.tif 000009
【図５】
2022501848.tif 000010
【図６】
2022501848.tif 000011
【図７】
2022501848.tif 000012
【図８】
2022501848.tif 000013
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
第２のノードが第１のノードに１セットの目標情報を伝送することを含み、
前記１セットの目標情報における各目標情報が第１の情報フィールド及び第２の情報フィールドを含み、前記第１の情報フィールドが少なくとも１つのデータチャネルに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される
ことを特徴とするフィードバック情報の伝送方法。
【請求項２】
前記１セットのデータチャネルが少なくとも１つのデータチャネルを含み、前記１つのデータチャネルが少なくとも１つのＴＢ又は少なくとも１つのＣＢＧを搬送する
ことを特徴とする請求項１に記載のフィードバック情報の伝送方法。
【請求項３】
前記第２の情報フィールドが前記第１の情報フィールドと前記１セットのデータチャネルとの対応関係を決定するために使用されることは、
前記第２の情報フィールドの値が１セットのデータチャネルのパラメータに対応することを含む
ことを特徴とする請求項１又は２に記載のフィードバック情報の伝送方法。
【請求項４】
前記１セットのデータチャネルは、
ハイブリッド自動再送要求ＨＡＲＱプロセス番号、
データチャネルにおけるＴＢ番号のうちの少なくとも１つを含む
ことを特徴とする請求項３に記載のフィードバック情報の伝送方法。
【請求項５】
前記第２の情報フィールドの値と前記パラメータとの対応関係がプロトコルにより約定される
ことを特徴とする請求項４に記載のフィードバック情報の伝送方法。
【請求項６】
前記第２のノードが端末であり
前記第２の情報フィールドに含まれるビット数は、
前記第２のノードのために構成された１つのデータチャネルに含まれるＴＢの最大数に基づいて決定される
ことを特徴とする請求項１〜５のいずれか１項に記載のフィードバック情報の伝送方法。
【請求項７】
第２のノードにお応用され、受信ユニットを含むフィードバック情報の伝送装置であって、
前記受信ユニットは、１セットの目標情報を伝送するように構成され、前記１セットの目標情報における各目標情報が第１の情報フィールド及び第２の情報フィールドを含み、前記第１の情報フィールドが少なくとも１つのデータチャネルに対するＭビットのフィードバック情報を含み、Ｍが正の整数であり、前記第２の情報フィールドが前記第１の情報フィールドと前記１セットのデータチャネル又は前記１セットの伝送リソースとの対応関係を決定するために使用される
ことを特徴とするフィードバック情報の伝送装置。
【請求項８】
前記１セットのデータチャネルが少なくとも１つのデータチャネルを含み、前記１つのデータチャネルが少なくとも１つのＴＢ又は少なくとも１つのＣＢＧを搬送する
ことを特徴とする請求項７に記載のフィードバック情報の伝送装置。
【請求項９】
前記第２の情報フィールドが前記第１の情報フィールドと前記１セットのデータチャネルとの対応関係を決定するために使用されることは、前記第２の情報フィールドの値が１セットのデータチャネルのパラメータに対応することを含む
ことを特徴とする請求項７又は８に記載のフィードバック情報の伝送装置。
【請求項１０】
前記１セットのデータチャネルのパラメータは、
ハイブリッド自動再送要求ＨＡＲＱプロセス番号、
データチャネルにおけるＴＢの番号のうちの少なくとも１つを含む
ことを特徴とする請求項９に記載のフィードバック情報の伝送装置。
【請求項１１】
前記第２の情報フィールドの値と前記パラメータとの対応関係がプロトコルにより約定される
ことを特徴とする請求項１０に記載のフィードバック情報の伝送装置。
【請求項１２】
前記第２のノードが端末であり、
前記第２の情報フィールドに含まれるビット数は、前記第２のノードのために構成された１つのデータチャネルに含まれるＴＢの最大数に基づいて決定される
ことを特徴とする請求項７〜１１のいずれか１項に記載のフィードバック情報の伝送装置。
【請求項１３】
コンピュータプログラムをメモリから呼び出して実行し、チップが搭載されるデバイスに請求項１〜６のいずれか１項に記載の方法を実行させるプロセッサを備える
ことを特徴とするチップ。
【請求項１４】
コンピュータに請求項１〜６のいずれか１項に記載の方法を実行させるコンピュータプログラムを記憶する
ことを特徴とするコンピュータ読み取り可能な記憶媒体。
【請求項１５】
コンピュータに請求項１〜６のいずれか１項に記載の方法を実行させるコンピュータプログラム命令を含む
ことを特徴とするコンピュータプログラム製品。
【国際調査報告】
2022501848.tif 000014
2022501848.tif 000015
2022501848.tif 000016
2022501848.tif 000017